(57)【要約】【課題】被験者の尿温を測定するにあたり、可及的高精度な尿温測定を行うことのできる尿温測定装置を提供すること。【解決手段】  被験者が排泄した尿を受けるボウル面が形成された洋式大便器と、前記ボウル面上に前記検温領域の位置を設定する検温領域位置設定手段と、排尿時における被験者の放尿位置の目安となる標的位置を前記ボウル面上の複数の所定位置に設定する標的位置設定手段と、複数の前記標的位置の中から被験者によって選択される任意の標的位置を選択放尿位置として取得する放尿位置取得手段と、を備え、前記検温領域位置設定手段は、前記放尿位置取得手段によって取得された前記選択放尿位置に基づいて前記検温領域の位置を設定する。【選択図】図４
2010222823.tif 000002
【特許請求の範囲】
【請求項１】
所定の広さを有する検温領域内から放射される赤外線を受光して前記検温領域内の温度を計測する測温素子によって被験者が排泄する尿の温度を非接触で計測する尿温計測手段を備えた尿温測定装置において、
被験者が排泄した尿を受けるボウル面が形成された洋式大便器と、
排尿時における被験者の放尿位置の目標となる標的を光像で形成し、前記ボウル面上に表示する標的表示手段と、
前記標的を表示する前記ボウル面上の所定位置である標的位置を設定する標的位置設定手段と、
前記標的位置に基づいて前記ボウル面上に前記検温領域の位置を設定する検温領域位置設定手段と、
予め決められた基準によって放尿位置に関して複数の区分に層別された放尿位置属性群の中から被験者の属する放尿位置属性を選択し、前記放尿位置属性に対応付けて予め決められた選択放尿位置を放尿位置として取得する放尿位置取得手段と、を備え、
前記標的位置設定手段は、前記放尿位置取得手段によって取得された前記選択放尿位置に基づいて前記標的位置を設定することを特徴とする尿温測定装置。
【請求項２】
前記放尿位置取得手段は、
少なくとも被験者の前記放尿位置属性に関係する個人情報を取得する個人情報取得手段を有し、
前記個人情報に基づいて、被験者の前記放尿位置属性を選択することによって前記選択放尿位置を取得することを特徴とする請求項１記載の尿温測定装置。
【請求項３】
前記標的位置設定手段は、
前記標的位置を予め設定された位置から微調整する標的位置微調整手段を備えることを特徴とする請求項１〜２のいずれか１項に記載の尿温測定装置。
【請求項４】
前記洋式便器の溜水面高さを制御する溜水面位置制御手段をさらに備え、少なくとも尿温測定時には溜水面高さを通常便器として使用する時よりは低位の測定水位設定することを特徴とする請求項１〜請求項３のいずれか１項に記載の尿温測定装置。
【発明の詳細な説明】
【技術分野】
【０００１】
本発明は、被験者の排泄する尿の温度を非接触で計測する尿温測定装置に関する。
【背景技術】
【０００２】
従来、身体の温度である体温は身体の健康状態を把握するための指標の一つとして用いられており、少なくとも０．１℃以上の測定精度が要求されるものである。この体温測定方法として、体温計などを皮膚に接触させて身体表面部の体温を測定する方法があつた。そして、個人での健康管理志向の高まりにつれ、この体温測定の必要性も増している。しかし、この体温計を用いての測定方法では、測り方によるばらつきが生じやすく、誰でもが簡易に正確な体温を測定するのが困難であった。
【０００３】
一方、身体で生成される尿は体内で蓄積されるため、深部体温とも呼ばれ身体内部の体温を反映した温度となっている。この深部体温は前述した身体表面の温度である体温と比較すると、身体の健康状態をより忠実に表していることが知られてきている。したがって、排泄行為により体外に排出された直後のこの尿の温度を測れば、この深部体温を推定することが可能であり、一般的な体温と比較してより正確な身体の健康情報が得られることになる。そのためには従来の体温測定精度以上の精度で容易に測定する方法が望まれている。
【０００４】
そこで、被験者の排泄中の尿の温度（以下、この排泄中の尿の温度を「尿温」ともいう）を非接触で測定する尿温測定装置が種々提案されている。
【０００５】
このような尿温測定装置に備えられる温度計測手段としては、例えば、物体表面からその温度に応じて放射される赤外線を受光して受光量に比例した電気出力を得る電気的素子である本発明における測温素子を用いて、物体の温度を非接触で計測できるようにした放射赤外線検知式温度計測手段（以下、この放射赤外線検知式温度計測手段を「放射温度計測手段」ともいう。）がある。
【０００６】
この放射温度計測手段は、物体から放射される赤外線を集光レンズ等の光学系を用いて測温素子面上に集光させる構成となっているため、集光する領域が温度を計測する計測領域となり、計測領域内に存在する全ての物体が放射する赤外線の和を計測することになる。従って、物体の温度を精度良く計測するには、その計測領域を計測対象とする物体のみに合致させる必要がある。
【０００７】
このような放射温度計測手段を用いた尿温測定装置として、具体的には、小便器の天井面にこの放射温度計測手段を設け、計測領域を通過する尿から放射される赤外線を受光して尿の温度測定を行うようにした非接触式の尿温測定装置が知られている（例えば、特許文献１を参照）。
【先行技術文献】
【特許文献】
【０００８】
【特許文献１】特開平０４−２０３１２８号公報
【発明の概要】
【発明が解決しようとする課題】
【０００９】
ところが、前記した従来の小便器に配設した尿温測定装置では、被験者が小便器に立位で放尿することにより、測定時の被験者の立つ位置や身長の違いなどが直接反映されるため、被験者の尿道先端口の位置が大きく異なる。
【００１０】
従って、排尿が尿道先端口からボウル面に到達するまでの経路（以下、この経路を「放尿経路」ともいう）は、被験者毎に大きく異なる。一方、一般的な計測素子を使用する放射温度計測手段は計測精度と計測範囲とはトレードオフの関係があるため、高精度に計測する場合は、その計測領域はあまり広く設定出来ない。そのため、一般的にはその排尿軌跡内に放射温度計測手段の温度を計測する範囲である検温領域を追従させるのは困難である。
【００１１】
また、ボウル面の一部を形成する部材（赤外線透過板３）の尿流による表面温度変化を計測する方法（第４図）も示されている。
【００１２】
この方法は、放射温度計測手段の計測対象が広い範囲とはなるが、排尿の接触による伝熱現象を利用する間接計測となるため、他の形態で示されている予熱対策を併せたとしても、計測される温度はこの部材の熱容量他の影響を受けたものとなり、迅速かつ正確な温度計測は困難である。
【００１３】
さらに、小便器使用という構成は女性の使用が困難である結果として、対象とする被験者が男性に限定されるという問題もある。
【００１４】
さらに、女性の場合には、放尿位置が大便器の溜水面側にあるので、その放尿位置での尿温測定が困難であるという問題もある。
【００１５】
本発明は、斯かる事情に鑑みてなされたものであって、被験者の尿温を測定するにあたり、性別や身長の違いに影響されない可及的高精度な尿温測定を行うことのできる尿温測定装置を提供することを目的としている。
【課題を解決するための手段】
【００１６】
前記従来の課題を解決するために、請求項１に記載の尿温測定装置では、所定の広さを有する検温領域内から放射される赤外線を受光して前記検温領域内の温度を計測する測温素子によって被験者が排泄する尿の温度を非接触で計測する尿温計測手段を備えた尿温測定装置において、被験者が排泄した尿を受けるボウル面が形成された洋式大便器と、排尿時における被験者の放尿位置の目標となる標的を光像で形成し、前記ボウル面上に表示する標的表示手段と、前記標的を表示する前記ボウル面上の所定位置である標的位置を設定する標的位置設定手段と、前記標的位置に基づいて前記ボウル面上に前記検温領域の位置を設定する検温領域位置設定手段と、予め決められた基準によって放尿位置に関して複数の区分に層別された放尿位置属性群の中から被験者の属する放尿位置属性を選択し、前記放尿位置属性に対応付けて予め決められた選択放尿位置を放尿位置として取得する放尿位置取得手段と、を備え、前記標的位置設定手段は、前記放尿位置取得手段によって取得された前記選択放尿位置に基づいて前記標的位置を設定することを特徴とする。
【００１７】
また、請求項２に記載の尿温測定装置では、請求項１に記載の尿温測定装置において、前記放尿位置取得手段は、少なくとも被験者の前記放尿位置属性に関係する個人情報を取得する個人情報取得手段を有し、前記個人情報に基づいて、被験者の前記放尿位置属性を選択することによって前記選択放尿位置を取得することを特徴とする。
【００１８】
また、請求項３に記載の尿温測定装置では、請求項１又は２記載の尿温測定装置において、前記標的位置設定手段は、前記標的位置を予め設定された位置から微調整する標的位置微調整手段を備えることを特徴とする。
【００１９】
また、請求項４に記載の尿温測定装置では、請求項１〜３のいずれか１項に記載の尿温測定装置において、前記洋式便器の溜水面高さを制御する溜水面位置制御手段をさらに備え、少なくとも尿温測定時には溜水面高さを通常便器として使用する時よりは低位の測定水位設定することを特徴とする。
【発明の効果】
【００２０】
請求項１に記載の発明によれば、被験者の性別や年齢などによって異なる放尿位置に関して層別された放尿位置属性に基づいて各被験者の放尿位置属性に合わせて、各個人別の標的の位置を設定することで、各被験者が自分の放尿位置に合った位置にある標的を狙って放尿することが容易に出来るため、この標的位置に基づいて行なう計測も検体となる尿の正確な温度が得られることになり被験者にとって使い勝手の良い尿温測定装置となる。
【００２１】
また、請求項２に記載の発明によれば、被験者の個人情報に基づいて測定の都度、被験者の放尿位置属性を取得するので、簡単な構造で多数の被験者に合わせた測定が可能となる。
【００２２】
さらに、請求項３に記載の発明によれば、被験者に合った位置に標的を正確に設定できるため、高精度の温度計測が可能となる。
【００２３】
さらに、請求項４に記載の発明によれば、尿温測定の場合と便器使用の場合とで溜水位置を区別することができ、便器機能と尿温測定機能とを両立可能とすることができる。
【図面の簡単な説明】
【００２４】
【図１】本実施形態に係る尿温測定装置の全体構成を示す側面図である。
【図２】同平面図である。
【図３】本実施形態に係る尿温測定装置の全体構成を示すブロック図である。
【図４】赤外線受光部の構成を示す図である。
【図５】赤外線受光部の受光領域を説明する説明図である。
【図６】リモコン装置の外観斜視図である。
【図７】ボウル面上に形成される展開尿流領域を示す平面図である。
【図８】標的位置と検温領域との位置の関係を示す平面図である。
【図９】図４とは別の赤外線受光部の構成を示す図である。
【図１０】排尿位置取得手段の構成を説明するブロック図である。
【図１１】男性の場合と、女性の場合との検温領域の設定を説明する説明図である。
【図１２】動作フローの尿温計測処理ルーチンの手順を示すフローチャートである。
【図１３】溜水面を低下させる必要のない場合を説明する説明図である。
【図１４】溜水面を低下させる必要のある場合を説明する説明図である。
【図１５】溜水面制御を含む動作手順を示すフローチャートである。
【図１６】溜水面制御の手順を示すフローチャートである。
【発明を実施するための形態】
【００２５】
尿が放射する赤外線を利用して、尿の温度を非接触で精度良く計測する場合において、排尿がボウル面に到達するまでの排尿軌跡を対象として温度を非接触で精度良く計測するには、前述したように、尿温計測手段に複雑な構成を必要とする。
【００２６】
そこで我々の行った予備実験により、被験者が排泄した尿は、ボウル面で衝突した後は衝突位置（以下、この尿が衝突したボウル面の位置を「尿流衝突位置」とも呼ぶ）の周りに膜状に広がる尿流領域（以下、この膜状に広がる尿流領域を「展開尿流領域」とも呼ぶ）が形成されるが、この展開尿流領域内でも尿流衝突位置により近い特定領域における尿は、放尿口から放出された直後の位置での尿の温度（以下、この温度を「尿温」とも呼ぶ）に可及的に近似した温度を維持していることが確認できた。
【００２７】
この特定領域では、それまでの尿流経路では内部にあって雰囲気による冷却を受けていない尿が衝突によって表面に次々と現れ、かつ、衝突直後のため便器への熱伝導による放冷等の影響も極少ないためと思われるが、領域全体として極く狭い温度分布を持った表面温度状態が形成されており、本発明における検温領域に比べても充分大きい広さを有している。以下、この尿温に極めて近い温度分布範囲を持ったこの特定領域を本発明における「検温尿流領域」と呼ぶ。
【００２８】
そこで、本発明に係る尿温測定装置においては、所定の広さを有する前記検温領域を、この所定の温度分布範囲を有する検温尿流領域内に設定するようにしているが、そのためには、少なくともこの検温尿流領域の位置や形状を知ることが必要となる。
【００２９】
そこで、この検温尿流領域が形成されるボウル面上の位置や形状について、大便器に着座して排尿する場合における、被験者の違いによる変化具合を別の予備実験で確認した。その結果、この検温尿流領域のボウル面上の位置と形状は、各被験者間では、検温領域の広さに対しては無視出来ない程度に異なるが、それぞれの位置での尿流衝突位置に対する検温尿流領域の位置と形状は各々ほぼ一定の対応関係にあることが判明した。
【００３０】
即ち、被験者の排尿時のボウル面上の尿流衝突位置が判れば、検温尿流領域のボウル面上の位置と形状が予め推定可能で、尿温計測手段の検温領域を検温尿流領域内に設定できることが確認された。
【００３１】
そして、我々の行なった予備確認によれば、複数の被験者による尿流衝突位置、即ち、放尿位置の分布は均一ではなく、被験者の、性別や年齢などの特徴によって特定の区分に層別分類できることが判った。具体的には、例えば、大人の男性と、大人の女性、子供の３つの区分に対応した分布となり、それぞれの分布の中央値は、最も便器先端に近いボウル面上、最も便器先端から遠いボウル面上、その中央のボウル面上となった。本発明では以下、放尿位置をこのように層別するために使用する被験者の特徴を放尿位置属性と呼ぶ。
【００３２】
そこで、本発明に係る尿温測定装置は、放尿位置属性取得手段を設けて、被験者の属する放尿位置属性を求めて、その放尿位置属性に基づいて尿温計測手段の検温領域の位置を設定することにより、尿温計測手段の検温領域を前記の放尿位置領域内に確実に位置させることが可能なことが実現できるようになった。
【００３３】
以上のことより、本発明に係る尿温測定装置は、被験者が排泄した尿を受けるボウル面が形成された洋式大便器と、排尿時における被験者の放尿位置の目標となる標的を光像で形成し、前記ボウル面上に表示する標的表示手段と、前記標的を表示する前記ボウル面上の所定位置である標的位置を設定する標的位置設定手段と、前記標的位置に基づいて前記ボウル面上に前記検温領域の位置を設定する検温領域位置設定手段と、前記放尿位置によって予め層別された複数の放尿位置属性の中から被験者の属する任意の前記放尿位置属性を選択し、選択した放尿位置属性に対応して予め決められているのを取得する放尿位置属性取得手段と、を備え、前記標的位置設定手段は、前記放尿位置属性取得手段によって取得された前記放尿位置属性に基づいて前記標的位置を設定するようにしている。
【００３４】
すなわち、放尿位置取得手段によって、複数の放尿位置属性の内の一の放尿位置属性が被験者の属する放尿位置属性として選択され、その放尿位置属性に対応する放尿位置が選択放尿位置として決定される。その後、その選択された選択放尿位置に基づいて標的位置が設定されるようになっている。
【００３５】
そして、その被験者の放尿位置属性の選択は、被験者の放尿位置に関係する個人情報を取得することによって、測定の都度、行なわれるようにしている。
【００３６】
その結果、被験者ごとに被験者に適した放尿位置をボール面上に標的で示すことが出来るため、体温に極めて近い尿温を高精度に測るという、高度な計測が実現できるようになった。
【００３７】
さらに、特に被験者が女性の場合には、使用する大便器の種類によっては放尿位置が大便器の溜水面側となるので、本発明の標的の設置が困難、言い換えれば本発明を適用した尿温測定が困難であるという問題もある。
【００３８】
したがって、溜水面を低下させて、ボール面上に直接尿が当たるようにすることによって本発明における検温尿流域を形成させる方法が考えられる。
【００３９】
そこで、本発明を好適に適用する以下に述べる本実施形態における尿温測定装置では、洋式便器の溜水面高さを制御する溜水面位置制御手段をさらに備えている。
【００４０】
以下、本実施形態における尿温測定装置について、図面を参照しながら具体的に説明する。
【００４１】
（尿温測定装置の全体構成について）
図１は、本実施形態に係る尿温測定装置の使用状態を示す側面視断面図であり、図２はその平面図である。以下これらの図を用いて、まず、本実施形態における尿温測定装置１の概要を説明する。
【００４２】
本実施形態における尿温測定装置１は、図１に示すように、洋式大便器に組み込まれて被験者Ｐの排泄する尿の温度を測定するように構成されている。
【００４３】
すなわち、本実施形態に係る尿温測定装置１は、図示するように、被験者Ｐが排泄した尿を受ける便器ボウル部１７が形成された洋式大便器に組み込まれた装置本体部１０と、装置本体部１０が設置されたトイレブースの側壁面Ｋに取り付けられ、装置本体部１０の操作を行うためのリモコン装置１１とを有している。なお、このリモコン装置１１は、洋式大便器が有する局部洗浄機能や便器洗浄機能などについても操作することができるリモコン操作部３３と、液晶表示装置からなるリモコン表示部３２とを備えている。
【００４４】
こうして、本実施形態における尿温測定装置１は、被験者Ｐが洋式大便器に着座した状態で排泄した尿の温度を測定し、測定した結果得られる尿温をリモコン表示部３２に表示して、被験者Ｐに知らせることができる。また、リモコン装置１１を操作することによって、洋式大便器としての機能、例えば排泄された排泄物の排出や排泄後の便器使用者の局部の洗浄や、局部の乾燥を行うこともできるようになっている。
【００４５】
また、この洋式大便器は、図１に示すように、使用者の排泄物を受けるための便器ボウル部１７を有する便器本体部１２と、便器本体部１２の後部側の上面に設けられたケーシング１４と、このケーシング１４にそれぞれ回動自在に枢支した便座本体１５ａ及び便蓋１５ｂからなる便座１５とを有している。
【００４６】
また、ケーシング１４の内部には、排泄後の局部洗浄動作や便器洗浄動作を行う便器機能部１９の他に、尿からの赤外線を受光する赤外線受光部４４やボウル面Ｂに標的を投影する標的位置投影部５０の各機構部と、尿温測定の全体を制御する測定制御部４１とが収納されている。
【００４７】
便器本体部１２には、被験者Ｐが排泄した排泄物を排出させると同時に便器を洗浄する機能を有する便器洗浄手段が備えられている。
【００４８】
便器機能部１９は、被験者Ｐの局部の洗浄を行う衛生洗浄手段として局部洗浄水を局部へ向けて噴射する衛生洗浄水ノズル（図示せず）や、洗浄した局部の乾燥を行う局部乾燥手段として温風を局部に送風する温風発生器（図示せず）や、被験者Ｐが便座本体１５ａに着座した着座状態を検出する着座センサ（例えば図示しない重量センサなど）を備えている。
【００４９】
また、図１及び図２に示すように、この洋式大便器の便器ボウル部１７には、通常は所定水位まで溜水が貯留され溜水面Ｗが形成されている。そして、本実施形態では、ボウル面Ｂのうち溜水面Ｗと便器ボウル部１７の上端部との間に、この標的Ｈと赤外線受光部４４の計測領域である検温領域Ｓとを設定している。
【００５０】
そして、被験者Ｐは図示するように、便座本体１５ａに着座してリモコン操作部３３で測定を開始させた後、この標的Ｈを目がけて放尿する。そして、排尿口Ｐ−１から放出された尿はこの標的Ｈの近傍に排出され、その衝突位置Ｐ−２の周りのボウル面Ｂ上に展開して形成される展開尿流領域Ｔの所定の領域から放出される赤外線は、赤外線受光部４４で受光される。
【００５１】
（尿温測定装置の全体的な構成について）
図３は、本実施形態に係る尿温測定装置１の全体構成を概念的に示すブロック図である。以下、各構成について説明する。
【００５２】
図３に示すように、本実施形態における尿温測定装置１は、被験者Ｐの排泄する尿の温度を測定する装置本体部１０と、装置本体部１０の各種の操作等を行うためのリモコン装置１１とを有している。
【００５３】
（リモコン装置１１の構成について）
リモコン装置１１は、尿温測定装置１の制御内容や尿温測定結果を表示するためのリモコン表示部３２と、尿温測定装置１を操作するための各種操作ボタンを備えたリモコン操作部３３と、装置本体部１０との間で各種制御信号や尿温測定結果情報を送受信するリモコン通信部３４と、リモコン装置１１全体の動作を統括制御するためのマイクロコンピュータなどからなるリモコン制御部３１とを備えている。なお、これらの各部の詳細については後述する。
【００５４】
（装置本体部１０の構成について）
装置本体部１０は前述したように、便器本体部１２、便器本体部１２に戴置されたケーシング１４、及びケーシング１４に回動可能に連接された便座１５を備えた洋式大便器に組み込まれている。
【００５５】
さらにケーシング１４内には、リモコン装置１１との間で各種制御信号や尿温測定結果情報を送受信する本体通信部４２と、汚物を排出処理する便器洗浄動作や人体局部の洗浄等の衛生洗浄動作を行う便器機能部１９と、尿温測定に必要な機能を備えた尿温測定部２０とが納められている。
【００５６】
また、便器機能部１９は、尿温測定装置１の赤外線受光部４４が計測動作中である場合はリモコン装置１１の衛生洗浄スイッチ５４や局部乾燥スイッチ５５が操作されてもその指示信号は無効として取り扱うようにしている。このことも、これらの動作が尿温測定に悪影響を及ぼすための防止策として配慮されたものである。
【００５７】
尿温測定部２０は、被験者の排泄する尿から放射される赤外線を受光してその温度を非接触で計測するための各手段の機構部を構成する本体計測部４０と、尿温測定に関する各種制御を行うための各手段の制御部を構成する測定制御部４１とを備えている。
【００５８】
（本体計測部４０の各構成について）
本体計測部４０は、被験者から排出される尿の温度を測定する尿温計測手段の機構部を構成する赤外線受光部４４と、被験者Ｐが排尿する際に、ボウル面Ｂのどの位置に放尿すればよいかの目安となる標的Ｈをボウル面Ｂ上に光像として投影する標的位置表示手段の機構部を構成する標的位置投影部５０とを備えている。
【００５９】
この赤外線受光部４４は、受光した赤外線の受光量に応じた電気的信号として出力する測温素子を備えた受光素子部６９と、検温領域Ｓから放射される赤外光束を集光してこの測温素子上に検温領域Ｓの写像として結像させる光学部６３と、受光素子部６９からの電気的信号を温度情報として出力処理する温度信号処理部６０と、検温領域Ｓの位置を移動させる検温領域移動手段の機構部を構成する検温領域移動部７５と、を備えている。なお、赤外線受光部４４の具体的構成については後に詳述する。
【００６０】
また、この標的位置投影部５０は、標的として表示する光像の表示位置を移動させる標的位置移動手段の機構部を構成する標的位置移動部５８を備えており、前述した標的位置設定部７１によって設定される任意の標的位置Ｐ−３に標的Ｈを移動させる。なお、標的位置投影部５０の具体的構成については後に詳述する。
【００６１】
（測定制御部４１の各構成について）
測定制御部４１は、ＣＰＵ、ＲＯＭ及びＲＡＭなどを備えたマイクロコンピュータからなり、該ＲＯＭに各種のプログラムが格納されて、尿温測定装置１の各種手段の動作の制御や測定結果等の各種情報の記憶などを行うものである。
【００６２】
なお、本実施形態における測定制御部４１は、着座センサが着座状態を検出している間のみ、動作開始指示手段として個人別尿温測定スイッチ５１からの計測動作開始の指示を有効としている。すなわち、被験者Ｐが便座本体１５ａに着座していない状態では、尿温の測定を行なえないようにして、例えば正確な測定が行えない男子立位での測定を防止している。
【００６３】
以下では、測定制御部４１の機能を、尿温算出手段を構成する尿温算出部４７、標的位置設定手段を構成する標的位置設定部７１、放尿位置取得手段を構成する放尿位置取得部７２、及び検温領域位置設定手段を構成する検温領域位置設定部４６の各機能別に分けて説明する。
【００６４】
標的位置設定部７１は、被験者の放尿位置の目安となる標的のボウル面Ｂ上の位置である標的位置Ｐ−３を被験者の放尿位置に応じた所定位置に設定するものである。
【００６５】
放尿位置取得部７２は、被験者の放尿位置を予め決められた基準によって層別した複数の区分である放尿位置属性群の中から被験者の属する放尿位置属性を選択し、選択された放尿位置属性に対応して決められている放尿位置を選択放尿位置Ｐ−４として取得するものである。
【００６６】
そのために放尿位置取得部７２は、被験者の放尿位置に関係する個人情報を取得する個人情報取得部７３と、前記個人情報と放尿位置属性との関係を記憶する放尿位置属性記憶部７４とを有し、被験者の個人情報に基づいて、測定の都度、被験者の選択放尿位置Ｐ−４を取得するようにしている。
【００６７】
個人情報取得部７３は、放尿位置属性を決定する個人別の放尿位置に関係する情報を取得する個人情報取得手段を構成する。被験者の放尿位置に関係する個人情報としては、性別情報としての男性又は女性や、身長に関係する情報としての大人又は子供、あるいは年齢などが採用できる。
【００６８】
放尿位置属性記憶部７４は、装置本体部１０内の回路基板上に配設されたＲＡＭ又はＲＯＭなどの記憶媒体であり、その記憶媒体に被験者別に割り当てられた記憶領域上に、放尿位置属性別に割り当てられた選択放尿位置Ｐ−４を放尿位置属性登録情報として記憶している。
【００６９】
検温領域位置設定部４６は、赤外線受光部４４が赤外線を受光して電気的出力を行うボウル面Ｂ上の受光範囲である検温領域Ｓの位置を設定するためのものであり、放尿位置取得手段で取得する個人別の選択放尿位置Ｐ−４に基づいて、予め決められた選択放尿位置Ｐ−４と検温領域位置との対応関係テーブルを使用して選択放尿位置Ｐ−４から所定位置を検温領域Ｓの位置として算出するものである。
【００７０】
また、検温領域位置設定部４６は、検温領域移動部７５としての図示しない電動モータなどのアクチュエータにより、検温領域Ｓの位置を変更・設定するようにしている。
【００７１】
尿温算出部４７は、赤外線受光部４４で得られた温度情報出力に基づいて尿温を算出するものであり、必要に応じて、この温度情報出力にさらに各種の影響要因を考慮した補正を行って尿温を算出するようにしても良い。
【００７２】
（本体計測部４０の詳細について）
次に、本体計測部４０を形成する前述した赤外線受光部４４の詳細について説明する。
【００７３】
図４は赤外線受光部４４の詳細構成を示す説明図であり、前述した検温領域移動部７５は省略している。図５は受光素子部６９と本発明の検温領域Ｓとの光学的関係を示す説明図である。
【００７４】
赤外線受光部４４は、図４に示すように、物体の温度に応じて物体の表面から放射される赤外線を受光して電気的信号として出力する複数個の測温素子６１が縦横に隣接配置されて形成された受光素子部６９となる測温素子群６２を有している。
【００７５】
本実施形態では、この測温素子群６２として、赤外線を受光することによって生じる熱を起電力として出力する多数の熱電対を接続したサーモパイル素子をさらに複数個まとめて一体的にパッケージされたサーモパイル素子アレイを用いている。かかるサーモパイル素子アレイは、図４では簡略化して示しているが、シリコン基板（図示せず）に８行×８列のマトリクス状に６４個のサーモパイル素子（測温素子６１）が隣接配置され、外観視で略平板状をなすサーモパイル素子アレイを構成している。
【００７６】
赤外線受光部４４は、また、温度信号処理部６０として、測温素子群６２に近接配置された温度較正用の基準温度素子６４と、測定制御部４１の制御に従って所定のタイミングで各測温素子６１のアドレス信号を出力するアドレス信号出力手段６５と、複数の測温素子６１からの各検出信号をアドレス信号出力手段６５から入力されるアドレス信号に基づいて選択するスキャン手段６６と、スキャン手段６６により選択された測温素子６１からの検出信号や基準温度素子６４からの検出信号を増幅する増幅手段６７と、増幅手段６７からの検出信号をデジタル信号に変換して測定制御部４１に送信するＡ／Ｄ変換手段６８と、を備えている。
【００７７】
また、光学部６３は、図５に示すように、便器ボウル部１７の表面であるボウル面Ｂ上に設定される検温領域Ｓから放射された赤外線の光束を、集光レンズなどで構成される光学系で検温領域Ｓの写像として略平面を形成する測温素子群６２上に結像させる。
【００７８】
このように、本実施形態においては、検温領域Ｓからの赤外線光束は測温素子群６２を構成する単位となる各測温素子６１に分担される構成としている。従って、検温領域Ｓの中でこの複数個の測温素子６１のうちの任意の一つが担当する領域を単位検温領域Ｓｘとすると、検温領域Ｓは単位検温領域Ｓｘを合わせたものとなることになる。
【００７９】
正確な温度計測は、これら複数の測温素子の少なくともいずれか一つの単位検温領域Ｓｘ全体が被計測物体内であれば可能となるため、本実施形態においては、単一の素子の温度分解能を維持してより広範囲の検温領域を得られることになる。
【００８０】
以上のような構成で、各測温素子６１は受光した写像の担当する領域の赤外線エネルギーに応じた出力信号を発生させ、これをスキャン手段６６によって順次取り出し、この測温素子群６２自身の温度を測る基準温度素子６４の出力信号とともに、Ａ／Ｄ変換手段６８を通して測定制御部４１に入力する。そして、かかる信号を入力した測定制御部４１を構成する前述した尿温算出部４７において、基準温度や放射率による補正をした後、各測温素子の出力信号が温度情報に換算される。
【００８１】
なお、この得られる前記温度情報は、本実施形態においては測温素子として前記の測温素子群となったものを採用していることより、測温素子単位の複数の温度情報が得られる。
【００８２】
さらに、この複数の温度情報は、本実施形態においては検温領域Ｓ内からの赤外光を単に集光するのではなく写像としてこれらの測温素子群に結像させているため、検温領域Ｓ内の各測温素子の配置に対応した二次元的な温度情報となる。従って、検温領域Ｓ内の温度分布状況を知ることも、あるいは、更にそれを視覚的に表示することも可能である。
【００８３】
（標的位置投影部５０の詳細について）
次に、同じく本体計測部４０を形成する標的位置投影部５０の具体的構成について説明する。
【００８４】
本実施形態における尿温測定装置１では、前記標的Ｈをボウル面Ｂ上の標的位置Ｐ−３に標的Ｈを表示する標的位置投影部５０を備えている。この標的位置投影部５０としては、半導体レーザなどの光像生成手段を用いて、所定の光像照射口からレーザ光を照射して光像を投射させるものが挙げられる。
【００８５】
そして、本発明における標的Ｈの標的位置Ｐ−３は、放尿位置取得部７２によって取得された選択放尿位置Ｐ−４に基づいて標的位置設定部７１によりボウル面上の所定位置に設定される。すなわち、標的位置投影部５０は、例えば光学部６３を移動させて標的位置投影部５０の投光軸を変化させるなどして、便器ボウル面上の標的Ｈの投影位置を移動させることの出来る図示しない標的位置移動部５８を備え、その標的位置移動部５８によりボウル面Ｂ上の複数個所の所定箇所に設定可能としている。
【００８６】
なお、標的位置投影部５０の装置本体部１０における配設位置は限定されないが、本実施形態では、標的位置投影部５０を、図１に示すように、ケーシング１４の先端側に配設している。
【００８７】
また、図２に示すように、標的位置投影部５０を、前記便器機能部１９の衛生洗浄水ノズルの吐出口に対して右側に偏倚した位置に設けている。これにより、衛生洗浄水ノズルからの洗浄水の吐出を邪魔することがない。
【００８８】
このように、標的位置投影部５０をケーシング１４内の先端側の中心線に近い位置に配設することにより、標的位置投影部５０から光像を便器ボウル部１７の前側の放尿位置となる領域に向けてより垂直に近い角度で投影することができるため、歪みが少ない光像により標的Ｈを便器ボウル部１７の前側のボウル面Ｂ上に見やすい状態で表示することができる。
【００８９】
また、ボウル面Ｂ上の標的Ｈとなる光像は、あくまでもイメージであって実体ではないため、汚れたりして不鮮明になることがなく、しかも、尿温測定装置１が組みつけられる各種の便器にも簡単にマーキングできる。
【００９０】
（リモコン装置の詳細について）
図６にリモコン装置１１の外観斜視図を示す。リモコン装置１１には、図示するように、装置本体部１０において尿温測定を開始する際に被験者Ｐが操作する個人別尿温測定スイッチ５１と、本体計測部４０において尿温測定を終了する際に被験者Ｐが操作する測定終了スイッチ５２と、排便後に便器本体部１２の便器ボウル部１７を洗浄する際に被験者Ｐが操作する便器洗浄スイッチ５３と、衛生洗浄装置の動作を指示する衛生洗浄スイッチ５４と、選択放尿位置Ｐ−４（標的位置Ｐ−３）の微調整を行うための変更スイッチ５７と、測定結果や測定状況などの各種情報を表示するリモコン表示部３２と、が設けられている。
【００９１】
ここで、本発明が測定対象とする尿温は、単なる一過性の身体情報としてだけでなく女性の生理周期の管理等の健康管理情報としても使用されるため、長期的な測定結果の個人単位での蓄積が重要となってくる。従って、複数の被験者が使用する形態の場合はこの複数の被験者を個人識別する機能が必要となる。
【００９２】
そのための個人識別手段としては、ＩＤカード等の既存の方法を採用することも可能であるが、本実施形態においては複数個のスイッチを設けて、この各スイッチを特定の被験者に割り当てて、個人識別を行う構成としている。
【００９３】
即ち、個人別尿温測定スイッチ５１は、本実施形態においては尿温測定を開始する測定開始手段としても機能させているが、図示するように個人家庭での使用を想定して４つのボタンを備えており、例えば家族を構成する各個人毎に割り当てて個人識別手段としても使用できるようにしている。
【００９４】
そして、これらの４つのボタンからなる個人別尿温測定スイッチ５１は、各ボタン毎に専用の記憶領域が割り当てられており、得られた測定結果は選択されたボタンに割り当てられた被験者の測定結果としてこの専用の記憶領域に記憶される。即ち、例えば、「１」のボタンを押して尿温測定を行うと、得られた結果は「１」のボタン専用の記憶領域に格納される。
【００９５】
また、この記憶領域には、被験者の放尿位置属性によって選択した選択放尿位置Ｐ−４の情報を格納するようにしている。
【００９６】
こうして、被験者ＰＡは、割り当てられた「１」のボタンを押下して尿温測定を行うようにすることで、「１」のボタンに割り当てられた前記記憶媒体の記憶領域から選択放尿位置Ｐ−４を取得すると共に、「１」のボタンに割り当てられた前記記憶媒体の記憶領域上には、被験者ＰＡの尿温測定結果が蓄積されるようにすることができる。
【００９７】
さらに、個人別尿温測定スイッチ５１の各ボタンを操作することにより、この専用の記憶領域に蓄積された個人別の尿温測定結果が読み出され、その履歴が図示するようにグラフ化されてリモコン表示部３２に表示できるようにしている。
【００９８】
リモコン表示部３２は、図６に示すように、検温の測定結果を表示する測定結果表示部３７と、標的Ｈの現在の位置を表示する標的位置表示手段としての標的位置表示部３８とを有している。
【００９９】
測定結果表示部３７は、被験者の尿温による測定結果を表示するようにしている。また、過去の測定結果の履歴も現在の測定結果と共にグラフなどにより表示するようにしている。被験者は、この測定結果表示部３７で表示される測定結果に基づいて、自分の体温を知ることができる。
【０１００】
リモコン表示部３２は、測定結果の数値や履歴グラフを表示するだけでなく、図示のように、標的位置の変更可能レンジに対する現在の標的位置Ｐ−３を相対表示して、被験者に測定状況を知らせるようになっている。
【０１０１】
標的位置表示部３８は、ボウル面Ｂ上において、選択放尿位置Ｐ−４を基準として前後左右のどの位置に標的位置Ｐ−３が設定されているかを表示するようにしている。すなわち、ボウル面Ｂ上の位置を選択放尿位置Ｐ−４をＸ軸及びＹ軸の原点とする２次元表示で表示し、そのボウル面Ｂ上のどの位置に標的位置Ｐ−３があるのかを表示するようにしている。被験者は、その標的位置Ｐ−３の位置の表示内容を見て、ボウル面Ｂ上でどの位置に自分の標的Ｈがあるのか、言い換えればどの位置に放尿しているのかを確認することができる。
【０１０２】
リモコン装置１１に配設された十字形状を有する変更スイッチ５７は、標的位置設定部７１の標的位置微調整手段として機能するもので、その変更スイッチ５７により前記ボウル面Ｂ上に表示する標的位置Ｐ−３を予め設定された位置から微調整するものである。そして、十字形状の変更スイッチ５７の左右前後の操作により、前記リモコン装置の標的位置表示部３８で標的Ｈの位置を確認しながら、標的位置Ｐ−３を微調整出来るようにしている。
【０１０３】
なお、この個人別尿温測定スイッチ５１の個人識別機能を利用して、本実施形態では単に測定結果の管理だけでなく、個人単位での管理が必要なその他の情報の管理にも使われている。
【０１０４】
即ち、本実施形態では、被験者に標的位置Ｐ−３の目標となる光学的な標的Ｈをボウル面に表示する構成となっているが、この標的Ｈの表示位置は被験者毎にこの個人別尿温測定スイッチ５１に割り付けられて前記記憶媒体に記憶されており、被験者Ｐが測定開始時に個人別尿温測定スイッチ５１を選択押下げすることによって、そのスイッチに割り付けられた選択放尿位置Ｐ−４に基づいて設定される標的位置Ｐ−３に標的Ｈが表示されるようになっている。
【０１０５】
具体的には、測定開始時に個人別尿温測定スイッチ５１が操作されると、放尿位置取得部７２は、個人別尿温測定スイッチ５１に応じて割り付けられている個人情報をもとにして放尿位置属性記憶部７４に記憶されている個人別の放尿位置属性と放尿位置との関係テーブルから選択放尿位置Ｐ−４を取得すると、標的位置設定部７１はその個人の選択放尿位置Ｐ−４に標的位置Ｐ−３を設定し、標的位置移動部５８は、図示しない電動モータなどのアクチュエータを駆動して標的Ｈを標的位置Ｐ−３に表示するようにしている。
【０１０６】
尿温測定装置１においては、被験者Ｐがその測定に際して、割り付けられた個人別尿温測定スイッチ５１を選択すると、登録された被験者Ｐの標的位置Ｐ−３に標的Ｈが表示されるようになっている。次に、この個人別尿温測定スイッチ５１への初回使用時の標的位置の割付登録方法について具体的に説明する。
【０１０７】
被験者Ｐがリモコン装置１１の所定のスイッチ操作を行なうと標的位置の登録モードに設定される。次に任意の個人別尿温測定スイッチ５１を登録スイッチとして選択すると、本実施形態における選択可能な放尿位置属性を決定する基準である女性・男性・子供の中から女性がリモコン表示部３２に表示されるとともに、その放尿位置属性に対応する放尿位置に標的Ｈが表示される。被験者Ｐは変更スイッチ５７を適宜操作して、自分の属する放尿位置属性を表示させた後、測定終了スイッチ５２を押して放尿位置属性の選択を完了させる。このとき、標的Ｈは選択された放尿位置属性に属する被験者群の平均的なボウル面上の放尿位置、即ち、選択放尿位置Ｐ−４に表示されている。この位置は、あくまで平均的な位置であるため、必要に応じて、以下の被験者Ｐに固有の放尿位置に微調整を行なう。
【０１０８】
即ち、放尿を開始して変更スイッチ５７で微調整の操作をして標的Ｈの表示位置を選択放尿位置Ｐ−４から移動させて尿の衝突位置Ｐ−２に極力一致させる。その後、尿温測定を終了すると、そのときの位置が被験者Ｐの標的位置Ｐ−３として、選択されている個人別尿温測定スイッチ５１に割り付けて記憶される。次回使用時からは個人別尿温測定スイッチ５１を押し下げすると、その登録された標的位置Ｐ−３に標的Ｈがボウル面Ｂ上に表示される。
【０１０９】
また変更スイッチ５７は、本実施形態では、標的位置調節手段としての機能を担っている。即ち、以上のべた手順で登録された標的位置Ｐ−３は被験者自身が設定して記憶された位置であり、かつ、本実施形態では便座に着座して排尿する形態であるため、同じ被験者であればその標的位置Ｐ−３に合わせて放尿することは比較的簡単であるが、それでも便座に座る位置や姿勢によっては標的位置Ｐ−３からはずれた位置に尿流衝突位置がずれる場合が発生することが考えられる。
【０１１０】
従って、被験者Ｐは、測定中に衝突位置Ｐ−２が標的位置Ｐ−３からずれた場合、この変更スイッチ５７の移動させたい方向のボタン（図６参照）を選択して押し操作して、標的位置を尿流衝突位置に合致させるように変更する。このとき、その状態で一連の測定が終了すると標的位置設定部７１は、そのときの位置を新たな標的位置Ｐ−３として個人データを更新する。
【０１１１】
このように、被験者は、変更スイッチ５７を利用して放尿位置属性を選択するだけで自分の属性に合った位置に標的Ｈを設定することが出来るので、検温尿流領域Ｕの確実な温度計測に必要な標的Ｈの位置を放尿位置に合致させて設定する被験者の手間を簡素化することが可能となるため、ひいては尿温（体温）の正確な測定が可能となる。
【０１１２】
なお、本実施形態ではこの変更スイッチ５７は図示するように、位置調節は前後のみに調節可能な形態としているが、標的位置移動部５８と併せて前後左右に調節可能に構成しても良い。
【０１１３】
また、個人別尿温測定スイッチ５１を押下した際に、動作開始指示手段として機能させる場合や、尿温測定履歴を表示させる場合などに、パスワードを要求するように構成しても良い。このように構成することで、個人情報の漏洩を防止したり、プライバシーを保護したりすることが可能となる。なお、パスワードを入力させるには別途テンキースイッチを設けたり、あるいはリモコン表示部３２にタッチパネルを設けたりしておくとよい。
【０１１４】
（検温領域Ｓの具体的な設定方法について）
本実施形態における尿温測定装置１における検温領域Ｓの設定方法について説明する。
【０１１５】
図７は便器本体部１２のボウル面Ｂ上に形成される展開尿流領域と標的Ｈを示す平面図である。図８は、標的位置と本実施形態における各放尿位置属性（女性・男性・子供）に対応する選択放尿位置と検温領域との位置の関係を示す平面図である。
【０１１６】
尿温測定装置１において、被験者が便座に着座してボウル面Ｂの標的位置Ｐ−３に投影された標的Ｈを目がけて排尿すると、その尿は、図１に示すように、放物線を描きながら標的Ｈ近傍に落下して衝突する。そして、ボウル面Ｂに衝突した尿は、図７に示すように、排尿される量に応じた広がりで、衝突位置Ｐ−２の周りに展開しながら溜水面Ｗに向けて流下していく。図中、Ｔはボウル面Ｂ上の衝突位置Ｐ−２の周りに形成される展開尿流領域を示す。
【０１１７】
ここで、図７に示すように、展開尿流領域Ｔ内のＵで示される特定領域は、前述したように、排尿直後の尿の温度即ち、本発明における尿温に極めて近い温度で一様な温度分布を示し、かつ、その位置と形状は衝突位置Ｐ−２と良好な相関関係があることが確かめられた（以下、この特定領域を検温尿流領域Ｕと呼ぶ）。
【０１１８】
なお、本実施形態においては、前述したように、赤外線受光部に複数個の測温素子６１からなる赤外線受光部４４を採用して、検温領域Ｓはこれらの複数個の測温素子６１に割り付けられた構成としているため、それらの複数個の検温領域のうち少なくとも一つがこの検温尿流領域Ｕに含まれていれば、正確な計測が可能となる。
【０１１９】
そして、この検温尿流領域Ｕの大きさは、ある実験例では、温度分布が尿温測定に必要な±０．１℃以内の範囲とすると約５０ｍｍ×７０ｍｍであり、本実施形態で採用する測温素子群６２（８×８＝６４素子）の検温領域Ｓ（２０ｍｍ×２０ｍｍ）の一素子あたりの検温領域の大きさ（２０／８ｍｍ×２０／８ｍｍ）に対して、安定的に計測するために充分な広さであることが確かめられた。
【０１２０】
従って、本実施形態における尿温測定装置１は、尿温を計測する検温領域Ｓを、衝突位置Ｐ−２に基づいて、ボウル面Ｂ上の前記検温尿流領域Ｕ内に設定している。
【０１２１】
すなわち、予め、いろいろな尿流衝突位置を設定してその周りに形成される検温尿流領域Ｕ内の位置と形状を測定し、その関係を測定制御部４１の記憶部に記憶しておく。そして測定時に、検温領域位置設定部４６が検温領域Ｓの位置を、衝突位置Ｐ−２に基づいて予め決められた検温尿流領域Ｕ内の所定位置に設定している。
【０１２２】
また、この検温尿流領域Ｕは多くの場合、排尿口Ｐ−１とボウル面Ｂとの位置関係から、図示されているように衝突位置Ｐ−２の下方側がより広い範囲に形成されていることも予備実験で判明した。
【０１２３】
従って、本実施形態ではかかる検温領域Ｓを、図７に示すように、検温尿流領域Ｕ内であって、かつ衝突位置Ｐ−２より下方の位置に設定している。この位置の検温尿流領域Ｕは検温領域Ｓの広さに比べて充分広いため、被験者Ｐの排尿位置や排尿状態が排尿中に変化しても衝突位置Ｐ−２を基準として検温領域Ｓの位置を設定する限り、安定した検温尿流領域Ｕの温度計測が可能となる。
【０１２４】
こうして、検温領域Ｓを衝突位置Ｐ−２より下方に設定することにより、高精度な尿温測定が安定して可能となる。
【０１２５】
こうして、被験者が標的位置Ｐ−３に設定された標的Ｈを目がけて排泄した尿は、ボウル面Ｂで衝突した後は衝突位置Ｐ−２の周りに薄く広がって展開尿流領域Ｔ内に検温尿流領域Ｕを形成し、標的位置Ｐ−３を衝突位置Ｐ−２と見做して検温領域Ｓを設定することにより、簡素な構成で確実な尿温測定が可能となる。
【０１２６】
本実施形態における尿温測定装置１は、前述のように被験者ごとに検温領域の位置を設定する検温領域位置設定部４６を備えているが、設定された標的位置Ｐ−３を尿流衝突位置Ｐ−２とみなして検温領域の位置を設定している。そのため、被験者の何らかの過誤により、実際の尿流衝突位置Ｐ−２が標的位置Ｐ−３から外れた状態となっても被験者がきがつかないまま測定が行なわれる事態の発生が予想される。そのため、そのような事態を未然に防止する手段として、実際の尿流衝突状態を監視する構成とすることも可能である。以下に、その詳細を説明する。
【０１２７】
図９は、本実施形態に係る尿温測定装置１の赤外線受光部４４の変形例である赤外線受光部１４４の構成を説明するブロック図であり、図１０は、赤外線受光部１４４における焦点距離変動機構１４５により焦点距離を変動させる場合の検温領域Ｓの設定を説明する説明図である。以下では、ここまで述べてきた本実施形態に係る尿温測定装置１における構成と同じ構成には同じ符号を付して、それらの説明は省略する。
【０１２８】
赤外線受光部１４４は、図９に示すように、光学部６３の焦点距離を変動させる焦点距離変動機構１４５を有している。即ち、焦点距離変動機構４３は、図３に示すように、光学部６３を構成するもので、光学部６３を構成するレンズをスライドさせることにより光学部６３の焦点距離を変更することにより、検温領域Ｓを広狭とするようにしている。
【０１２９】
その動作は、まず、広い検温領域Ｓの温度分布計測結果の展開尿流領域の位置から被験者Ｐのおおよその尿の落下位置を推定する。次いで、推定されたこの尿の落下位置が標的位置Ｐ−３に基づいて決定される尿流衝突位置Ｐ−２から所定量以上ずれている場合は、検温領域移動部７５にて、検温領域Ｓをこの尿の落下位置に基づいた新たな検温位置に移動させ、その後に検温領域Ｓを狭くして尿温測定を継続する。
【０１３０】
すなわち、図１０に示すように、まず、被験者Ｐの標的位置Ｐ−３を中心として検温領域Ｓを広くして検温領域（Ａ）になるように設定する。そして、検温領域Ｓが広がった状態で、得られた温度分布により実際に被験者Ｐの尿流が当たった箇所を判断するようにしている。すなわち、広い検温領域での温度分布計測結果から、大よその尿の実際の落下位置を把握するようにしている。
【０１３１】
図１０は検温領域を変化させた場合に観測される温度分布状態を示したものであり、検温領域を広くした場合が検温領域（Ａ）、狭くした場合が検温領域（Ｂ）で示されている。この場合では、検温領域（Ａ）全体を見ると尿によって温度上昇している箇所が便器後端側が多い状態となっている。この分布状態より、実際の放尿位置が標的位置Ｐ−３に基づいて想定した尿流衝突位置Ｐ−２より便器後端側にずれていることが判る。この状態のままでは、より高精度の温度計測は困難なため、この推定された放尿位置を尿流衝突位置Ｐ−２として検温領域の位置を移動させるとともに、検温領域を狭くして検温領域（Ｂ）とする。
【０１３２】
具体的には、検温領域移動部７５（電動モータなどのアクチュエータ）により検温領域Ｓを移動させると共に、前記焦点距離変動機構４３により、光学部６３の焦点距離を長くすることにより、検温領域（Ｂ）のように狭くして、展開尿流領域Ｔ内の尿を集中的に検温するようにしている。
【０１３３】
なお、このように実際の放尿位置のズレが検知された場合は、前述した検温領域位置等の修正だけでなく、その旨を、リモコン表示部３２に表示して被験者に報知するようにしても良い。
【０１３４】
このように、本実施形態における尿温測定装置１は、前記焦点距離変動機構４３により光学機構の焦点距離を長短する機能を付加することにより、被験者の実際の放尿位置に合わせて検温領域Ｓを設定して測ることが可能となるため、高精度の計測が出来る。
【０１３５】
（尿温測定装置による尿温測定の手順について）
次に、上述した構成からなる尿温測定装置１の尿温測定の手順を、図１１及び図１２に示す動作フローチャートを参照しながら以下に説明する。図１１は動作全体を示すフローチャートであり、図１２は図１１のルーチン処理の詳細を示すフローチャートである。
【０１３６】
まず、被験者Ｐが便座本体１５ａに着座した状態でリモコン装置１１の予め自分に割り当てられた個人別尿温測定スイッチ５１を適宜選択して押圧操作すると、リモコン装置１１のリモコン制御部３１は、尿温計測スイッチのＯＮ信号と選択されたスイッチ番号を検出する（ステップＳ１１）。
【０１３７】
このＯＮ信号を検出したリモコン制御部３１は、本体計測部４０による計測動作を開始させるための指示信号、すなわち、計測動作開始指示信号を生成し、リモコン通信部３４を介して装置本体部１０の測定制御部４１に送信する（ステップＳ１２）。なお、この計測動作開始指示信号にはスイッチ番号信号も被験者特定信号（この信号を含めて、被験者を特定するための情報を、以下では「被験者特定情報」とも呼ぶ）として含まれている。
【０１３８】
次いで、測定制御部４１の標的位置設定部７１は、本体通信部４２を介して計測動作開始指示信号を受信すると標的位置投影部５０のアクチュエータを駆動して、標的を計測動作開始指示信号に含まれている被験者特定信号に応じて初回使用時に個人別尿温測定スイッチ５１によって標的位置Ｐ−３として登録された位置に移動させる（ステップＳ１３）。
【０１３９】
そして、標的位置設定部７１はここで設定された標的位置Ｐ−３を衝突位置Ｐ−２として記憶するとともに、検温領域位置設定部４６は検温領域移動手段を駆動させて、この衝突位置Ｐ−２から予め決められた所定距離下方の位置に検温領域Ｓを設定する（ステップＳ１４）。
【０１４０】
この後、被験者Ｐは排尿を開始するが、必要に応じて変更スイッチ５７を操作して、標的位置の微調整を行う。すると、位置移動信号がリモコン装置１１から装置本体部１０に送られ、標的位置設定部７１（測定制御部４１）は、変更スイッチ５７の操作量に応じた位置信号を標的表示手段としての標的位置設定部７１に送り、標的位置の微調整を行うと共に、この変更後の標的位置を被験者Ｐの標的位置Ｐ−３として更新記憶する（ステップＳ１５）。
【０１４１】
測定制御部４１は、検温領域Ｓを設定完了すると、本体計測部４０の制御を開始して、尿温測定処理を実行する（ステップＳ１６）。なお、この尿温測定処理については尿温計測処理ルーチンとして、以下で図１１を用いて詳細説明する。
【０１４２】
尿温計測処理ルーチンは図１１に示すように、先ず、測定制御部４１の尿温算出部４７は、サーモパイルの各素子の温度を取得する（ステップＳ２１）。すなわち、赤外線受光部４４において、検温領域Ｓから分担して受光される赤外線を基に、８×８構成の測温素子群６２の各測温素子６１における出力信号を走査して得られる一組の２次元温度情報を１フレーム情報として取得する動作を所定回数になるまで繰り返す。
【０１４３】
次いで、尿温算出部４７は、取得されたフレーム数が予め設定された回数に達したと判定すると（ステップＳ２２：Ｙｅｓ）、測温素子群６２における測温素子６１毎の温度情報に対して平均化処理を行い、予め設定されたフレーム数における各測温素子６１の平均計測温度を算出する（ステップＳ２３）。
【０１４４】
本実施例においては、測温素子群６２における全ての測温素子６１について、５０フレーム分の取得データに基づいて平均計測温度を算出する。このように、予め設定されたフレーム数における各測温素子６１の平均計測温度を算出することにより、一般に測温素子６１毎に発生する検出信号のノイズによる計測値への影響量を軽減することができる。
【０１４５】
規定回数に達しない場合（ステップＳ２２：Ｎｏ）、ステップＳ２１の処理に戻す。
【０１４６】
次に、測定制御部４１は、予め設定されたフレーム数における各測温素子６１の平均計測温度のうち、最大値を抽出し、これをその時点での尿温計測値として記憶媒体に記憶する（ステップＳ２４）。
【０１４７】
すなわち、測定制御部４１は、赤外線を受光した複数の測温素子６１の出力信号からそれぞれの素子毎に平均計測温度を算出し、それらの平均計測温度のうち最高値を、本体計測部４０の尿温測定値とする処理を行うのである。通常の測定環境においては尿の温度はその周囲温度より高い状態にあるため、尿の温度は排尿直後の温度から放冷現象によって低下することはあっても、上昇することはないので、計測して得られた素子毎の複数個の温度の中の最高値を検温尿流領域Ｕ内の尿の温度の計測値とすることにより、尿温により近い計測値を得ることができる。
【０１４８】
なお、本実施形態ではこのように、赤外線受光部として複数個の測温素子からなるものを使用して、得られる複数個の温度データの中から一つを選ぶ方法を採用しているため、前述した検温尿流領域Ｕ内に少なくとも一つの単位検温領域Ｓｘが含まれていれば、検温尿流領域Ｕ内の尿の温度計測は正しく行われる。
【０１４９】
次に、測定制御部４１は、リモコン装置１１のリモコン操作部３３における測定終了スイッチ５２が押圧操作されたか否かを判定する（ステップＳ２５）。
【０１５０】
その結果、測定終了スイッチが押圧操作されていないと判定すると（ステップＳ２５：Ｎｏ）、測定制御部４１は、処理をステップＳ２２に戻す。
【０１５１】
一方、測定終了スイッチが押圧操作されたと判定すると（ステップＳ２５：Ｙｅｓ）、測定制御部４１は、尿温測定スイッチが押圧操作されてから測定終了スイッチが押圧操作されるまでの間の各時点での尿温計測値として記憶媒体に記憶されている記録値のうちの最大値を抽出し、一回の排尿行為における尿温測定値として確定し、この尿温測定値を記憶されている被験者特定情報に対応付けて記憶媒体に記憶させて（ステップＳ２６）、尿温測定処理を終了する。
【０１５２】
尿温測定処理が終わると測定制御部４１は、得られた尿温測定結果情報と被験者特定情報に対応する被験者の過去の測定情報とを基にして、リモコン装置１１のリモコン表示部３２に表示する測定結果表示データを作成する（ステップＳ１７）。
【０１５３】
次に、測定制御部４１は、作成された測定結果表示データ含めた測定結果に関する情報（以下、この情報を「尿温測定結果情報」とも言う。）を、本体通信部４２を介してリモコン装置１１のリモコン制御部３１に送信する（ステップＳ１８）。
【０１５４】
なお尿温測定結果情報の他の例として、例えば、ある測定において、尿流衝突位置が大幅にずれた場合や排尿が短時間で終わったりしたため尿温測定が正常に行われなかった場合には、尿温測定が正常に行われなかったことを示すアラーム情報がある。
【０１５５】
リモコン通信部３４を介して尿温測定結果情報を受信すると、リモコン制御部３１は、リモコン表示部３２に尿温測定結果を表示する（ステップＳ１９）。
【０１５６】
この際、尿温測定が行われなかったことを示す情報が含まれている場合には、例えば、「尿温測定は正常に行われませんでしたので、測定結果には誤差があります」等の表示をリモコン表示部３２に行なって被験者に注意すべき旨を報知する。
【０１５７】
その後、装置本体部１０の測定制御部４１、及びリモコン装置１１のリモコン制御部３１は、次回の尿温測定に必要な所定の測定準備動作を行い、一連の尿温測定を終了する。
【０１５８】
また、本実施形態では、尿温測定に関する操作や表示を行うものとして、装置本体部１０とは別に設けたリモコン装置１１にリモコン表示部３２やリモコン操作部３３等を設置し、リモコン装置１１と装置本体部１０との間で通信を行なって尿温測定装置１として機能する構成としているが、リモコン装置１１のリモコン表示部３２やリモコン操作部３３に代えて、装置本体部１０に操作表示部などを設ける構成としてもよい。
【０１５９】
ところで、上述してきた尿温測定装置１は、洋式大便器に予め尿温測定部２０を一体的に組み込んだものとした。しかし、尿温測定部２０を洋式大便器とは別体の筐体内に設けておき、既設の洋式大便器に後付け可能な構成とすることもできる。
【０１６０】
また、本実施形態では赤外線受光部４４が備える受光素子として複数の測温素子からなる測温素子群を使用した例として説明したが、単一の測温素子からなる受光素子としてもよい。
【０１６１】
なお、本発明において用いる測温素子は、少なくとも検温領域の温度に応じた信号出力を行えるものであれば良いため、単一の素子で構成されるものであっても採用可能である。
【０１６２】
（溜水面の制御について）
次に、溜水面Ｗの位置制御について説明する。図１３は、本実施形態に係る尿温測定装置１の溜水面Ｗを低下させる必要のない場合を説明する側面図であり、図１４は、本実施形態に係る尿温測定装置１の溜水面Ｗを低下させる必要のある場合を説明する側面図である。
【０１６３】
本実施形態における尿温測定装置１には、溜水面Ｗを調節する溜水面位置制御手段が配設されている。その溜水面位置制御手段は、圧力センサ（図示せず）を備え、圧水センサは例えば便器機能部１９のボウル面Ｂの底部に配設されている。そして、圧力センサは便器ボウル部１７内の溜水の圧力を測定する。
【０１６４】
測定制御部４１には、前記圧力センサで測定した圧力により、便器ボウル部１７内の溜水の量に換算すると共に、溜水面Ｗがボウル面Ｂにどの高さ位置にあるのかを検出するとともに、溜水面位置を所定の位置に低下させる制御を行なう溜水面位置制御部３０を備えている。
【０１６５】
溜水面位置制御部３０は、また、前記トラップ管路１８と排水接続管２２の間に設けた排水路３６と、排水路３６の途中に排水弁３５とを備え、排水弁３５を開放させることにより、トラップ管路１８にある水を、トラップ部を通さずに排水路３６を通して、排水接続管に流す溜水排出手段を便器本体部１２に備えている。
【０１６６】
以上の構成で、溜水面位置制御部３０は、前記溜水面Ｗの高さ位置を算出した後、その溜水面Ｗの高さ位置と被験者の選択放尿位置Ｐ−４とを比較することにより、標的位置Ｐ−３が溜水面Ｗより下方に位置する場合には、排水弁３５を開放させて便器ボウル部１７内の溜水を排出することによって、溜水面Ｗの高さ位置を調節するようにしている。
【０１６７】
例えば、女性の場合には使用する大便器の種類によっては溜水面Ｗ側に標的位置Ｐ−３が設定されて測定不能となる場合も起こり得るので、溜水制御を行うことにより、溜水面Ｗを低下させることで尿温測定を行なえるようにすることができる。これにより、被験者ごとに異なる放尿位置に合わせて測ることが可能となるため、高精度の計測が出来る。
【０１６８】
次に、このように構成した尿温測定装置１の溜水面Ｗの制御の手順を、図１５に示す動作フローチャートにより以下に説明する。図１５は、本実施形態に係る尿温測定装置の溜水面制御を含む動作手順を示すフローチャートである。図１６は、本実施形態に係る溜水面制御の手順を示すフローチャートである。
【０１６９】
まず、図１５に示すように、被験者Ｐが便座１５に着座した状態でリモコン装置１１のリモコン操作部３３における個人別尿温測定スイッチ５１を押圧操作する（ステップＳ３１）。この押圧操作に基づいて、リモコン装置１１のリモコン制御部３１は、本体計測部４０による計測動作を開始させるための指示信号、すなわち、計測動作開始指示信号を、リモコン通信部３４を介して尿温測定部２０の測定制御部４１に送信する。
【０１７０】
次いで、測定制御部４１は、前記計測動作開始指示信号を受信すると、選択された個人別尿温測定スイッチ５１に割り付けられている個人別の標的位置Ｐ−３を取得すると共に、その選択した標的位置Ｐ−３に基づいて検温領域Ｓを移動させる（ステップＳ３２）。すなわち、測定制御部４１は、焦点距離変動機構４３を駆動させて、焦点距離変動機構４３により光学機構の焦点距離を長短することにより、検温領域Ｓを広狭とすると共に、標的位置移動部５８を駆動させて、被験者の標的位置Ｐ−３に基づいた検温領域Ｓの位置の変更を行う。
【０１７１】
また、被験者の操作により、標的位置設定部７１の操作により標的位置Ｐ−３の微調整を行う。すなわち、標的位置設定部７１はリモコン装置１１上に配設された十字ボタンである変更スイッチ５７であって、その変更スイッチ５７を上下左右のスイッチ操作により被験者に応じた標的位置Ｐ−３の微調整を行う。
【０１７２】
次いで、測定制御部４１は、設定された標的位置Ｐ−３が、溜水面Ｗの高さ位置より下方にあるか否かを判定する（ステップＳ３３）。
【０１７３】
標的位置Ｐ−３が、溜水面Ｗの高さ位置より下方にある場合には、図１６におけるＳ４１〜Ｓ４４までの溜水面Ｗの低下処理を行う。また、標的位置Ｐ−３が、溜水面Ｗの高さ位置より上方にある場合には、図１２におけるステップＳ２１〜Ｓ２６までの前記尿温計測処理を行う（ステップＳ３４）。
【０１７４】
そして、溜水面Ｗの低下処理を行った後、前記図１２におけるステップＳ２１〜Ｓ２６までの前記尿温計測処理を行う（ステップＳ３５）。
【０１７５】
最後に、リモコン装置１１において尿温計測処理の結果表示を行い（ステップＳ３６）、溜水面制御を含む尿温測定処理を終了させる。
【０１７６】
次に、溜水面Ｗの具体的な制御について図１６を参照して説明する。
まず、溜水面位置制御部３０は、前記標的位置Ｐ−３とボウル部内の溜水の量を圧水センサにより測定された溜水面Ｗとの位置関係に基づいて、標的位置Ｐ−３が設定可能な位置まで溜水面Ｗを低下させる排水量を算出する（ステップＳ４１）。
【０１７７】
次いで、溜水面位置制御部３０は、排水弁３５を開放させることにより（ステップＳ４２）、トラップ管路１８にある水を、トラップ管路１８を通さずに排水路３６を通して、排水接続管に流すようにしている。（ステップＳ４３）。
【０１７８】
そして、溜水面位置制御部３０は、所定量の溜水を流した後、排水弁３５を閉鎖させて（ステップＳ４４）、排水弁３５の開放を停止させて溜水面Ｗの低下処理を終了させる。
【０１７９】
例えば、女性の被験者がリモコン装置１１の個人別尿温測定スイッチ５１を押すと、その女性の標的位置Ｐ−３を取得すると共に、その標的位置Ｐ−３が溜水面Ｗ内に位置しているか否かを判定し、溜水面Ｗ内に位置している場合には、圧力センサにより溜水の水量を検出して、その女性の標的位置Ｐ−３と溜水面Ｗとの関係を算出して、溜水制御を行って尿温測定を行うようにしている。このようにして、女性の被験者であっても、通常の便器機能を保持したままでの正確な尿温測定が可能となる。
【０１８０】
また、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることはもちろんである。
【符号の説明】
【０１８１】
１  尿温測定装置
１０  装置本体部
１１  リモコン装置
１２  便器本体部
１４  ケーシング
１５  便座
１５ａ  便座本体
１５ｂ  便蓋
１７  便器ボウル部
１８  トラップ管路
１９  便器機能部
２０  尿温測定部
２２  排水接続管
３０  溜水面位置制御部
３１  リモコン制御部
３２  リモコン表示部
３３  リモコン操作部
３４  リモコン通信部
３５  排水弁
３６  排水路
３７  表示部
３８  検温領域位置表示部
４０  本体計測部
４１  測定制御部
４２  本体通信部
４４  赤外線受光部
４６  検温領域位置設定部
４７  尿温算出部
４８  検温領域位置移動手段
５０  標的位置投影部
５１  個人別尿温測定スイッチ
５２  測定終了スイッチ
５３  便器洗浄スイッチ
５４  衛生洗浄スイッチ
５５  局部乾燥スイッチ
５７  変更スイッチ
５８  標的位置移動部
６０  温度信号処理部
６１  測温素子
６２  測温素子群
６３  光学部
６４  基準温度素子
６５  アドレス信号出力手段
６６  スキャン手段
６７  増幅手段
６８  Ａ／Ｄ変換手段
６９  受光素子部
７１  標的位置設定部
７２  放尿位置取得部
７３  個人認識情報取得手段
７４  放尿位置記憶手段
７５  検温領域移動部
１４４  赤外線受光部
１４５  焦点距離変動機構
Ｂ  ボウル面
Ｈ  標的
Ｋ  側壁面
Ｐ  被験者
Ｗ  溜水面
Ｐ−１  排尿口
Ｐ−２  衝突位置
Ｐ−３  放尿位置
Ｓ  検温領域
【図１】
2010222823.tif 000003
【図２】
2010222823.tif 000004
【図３】
2010222823.tif 000005
【図４】
2010222823.tif 000006
【図５】
2010222823.tif 000007
【図６】
2010222823.tif 000008
【図７】
2010222823.tif 000009
【図８】
2010222823.tif 000010
【図９】
2010222823.tif 000011
【図１１】
2010222823.tif 000012
【図１２】
2010222823.tif 000013
【図１３】
2010222823.tif 000014
【図１４】
2010222823.tif 000015
【図１５】
2010222823.tif 000016
【図１６】
2010222823.tif 000017
【図１０】
2010222823.tif 000018